(57)【要約】【課題】自動車には、通常、乗降口上部付近に、乗降を助けるための取手が既設されているが、取手の設置位置的、角度的に非健常者や高齢者には使いにくい。【解決手段】左右それぞれを適度な幅で、つかまえることを可能とした握り部を構成させた本体を、自動車座席の頭当ての支柱に固定することにより、乗降または乗車中の身体の安定を補助させるものである。【選択図】図１
2019182388.tif 000002
【特許請求の範囲】
【請求項１】
２本のＬ形の本体支柱と、その２本の本体支柱のＬ形の長い方の支柱の間に、少なくとも１本以上のハンガー掛け部を備え、本体支柱のＬ形の短い方に自動車座席の頭当て支柱への固定部を備えたことを特徴とする自動車シート用取手装置。
【請求項２】
２本の本体支柱のＬ形の長い方の外側に、握り部を備えた、請求項１記載の自動車シート用取手装置。
【発明の詳細な説明】
【技術分野】
【０００１】  本発明は、握り部をつかまえることで、自動車の乗降を助けて乗降を楽にする、及び乗車中に身体の安定を確保するための補助をするものである。【０００２】  また、本発明は、本体のハンガー掛け部にハンガーを引っかけることにより、車内に衣服を折りたたまずに、複数吊さげることを提供するハンガー掛けでもある。【０００３】  以下、取手としての機能説明、及びハンガー掛けとしての機能説明、双方の説明を記述する。
【背景技術】
【０００４】  通常、自動車には、助手席及び後部入口の天井付近といった部位に、身体を支えて乗降を補助する、取手がつけられている。【０００５】  これらの既設の取手に加え、尚且つ、つかまえて乗降しやすいようにするために、自動車座席の頭当ての支柱である上下調節の棒にはめ込むことで、握り部を構成させるといった、乗車を助ける補助具がある。
【先行技術文献】
【０００６】
【特許文献１】特開２００８−２３０３２１
【０００７】
【特許文献２】実案３１９３５３２
【発明の概要】
【発明が解決しようとする課題】
【０００８】  しかしながら、健常者にあらざる人や高齢者では、この自動車に既設の取手の位置では  、健常者と同様な身体を動かすことが困難なゆえ、つかまえにくく、またつかまえても力が不足して使いにくい。【０００９】  また、先に述べたように、自動車座席の頭当て支柱にはめ込んで設置する握り補助具があるが、これは取付け状態が頭当て支柱にはめ込んだだけで固定設置するようになっているだけのため、設置後に握り補助具が動かないような堅牢性が不足である。【００１０】  また、身体を支えるための握り部分が水平となって、一ヶ所を両手でそろえるように握るために、乗降中の揺れに対して力を入れにくく身体を支えにくい。【００１１】  通常、自動車内にハンガーを吊るす場合、既成のハンガーに衣服を掛けて、先に述べた自動車に既設の取手にハンガーを吊るすような使用がよくなされるが、自動車の加速、減速時にハンガーが揺れて、しまいには衣服が外れて落ちるといった不具合がある。
【課題を解決するための手段】
【００１２】  本発明は、乗車の補助具とした場合、上記に述べたような不具合を解消するために、本発明の握り部分をつかまえやすく、また握った手に力を入れやすく、乗降を楽にするものである。【００１３】  自動車内の衣服掛けとして使用する場合、本発明を座席シートに設置すると、横型に複数のハンガー掛け部ができるので、１本のハンガー掛け部に複数のハンガーを掛けるだけにとどまらず、本発明は複数のハンガー掛け部が設置されているため、この複数のハンガー掛け部に多くのハンガーを掛けることが可能で、ネクタイも分けて吊るすこともできるようになる。
【発明の効果】
【００１４】  本発明を自動車座席に設置すると、握り部１０または握り部１１は、座席後部縦外付近に縦型となって位置するため、つかまえやすく力が入れやすいため乗降を楽にする。【００１５】  乗車してからは、本発明では握り部１０及び握り部１１それぞれが縦に適度の幅をもった位置に設定されているために、握り部分を左右両手で適度に広げた状態でつかまえることにより、車の揺れに対して、身体を安定させるべく、身体を保持するための力を入れやすく安定した状況で乗車していることが可能となる。【００１６】  本発明をハンガー掛けとして使用するためには、図２に示すように、ハンガー掛け部１２を上側に位置するようにして、自動車座席の頭当て支柱１５に装着する。【００１７】  ハンガー掛け部１２、ハンガー掛け部１３、ハンガー掛け部１４それぞれにハンガーを掛けることができるようになる。【００１８】  主にハンガー掛け用として取付けた状態においても、握り部１０、握り部１１はそれぞれにつかまえて乗降及び乗車中の補助にも使用可能である。
【図面の簡単な説明】
【００１９】
【図１】本発明の全体を表す斜視図である
【図２】ハンガー掛けとして使用する場合の取付け方法
【図３】自動車乗降乗車中補助使用の場合の取付け方法
【図４】ハンガー掛けとして使用する場合の取り付けた状態
【図５】乗降乗車中の補助として使用する場合の取り付けた状態
【図６】本発明にハンガーを掛けた状態の参考図
【図７】本発明につかまって座席に座っている様子の参考図
【発明を実施するための形態】
【００２０】  図１に示すように、Ｌ形の本体支柱１と本体支柱２に橋渡しするようにハンガー掛け部１２、ハンガー掛け部１３、ハンガー掛け部１４、自動車頭当て支柱への取付け部４が繋がり、本発明を形成している。
【００２１】  本体支柱１、本体支柱２それぞれの外側に、握り部を取り付ける、握り取付け部３があり、ここに握り部１０、握り部１１をそれぞれ挟むように接合させてある。
【００２２】  このそれぞれの握り部、ハンガー掛け部表面は、滑りにくい弾性体に覆われている。
【００２３】  自動車座席の頭当て支柱への取付け部４には、本発明を自動車座席の頭当支柱１５に、  頭当て支柱への固定板６を用いて固定するための取付けねじ穴５が設けられている。
【実施例１】
【００２４】  本発明を、乗降を補助する取手として使用するために自動車座席に設置するには、図３に示すように、ハンガー取付け部１２が下になるようにして、自動車座席の頭当て支柱１５に頭当て支柱への固定板６で、自動車座席の頭当て支柱１５を挟むように、平ワッシャー７、スプリングワッシャー８とともに取付けボルト９で締め付けて固定装着する。【００２５】  自動車座席の頭当ては、上の方に高い位置で使用する場合も含め、図３に示すように、座席に密着させるように下側に位置するようにして、自動車座席の頭当て支柱１５を、頭当て支柱への取付け部４に頭当て支柱への固定板６で挟むようにして、平ワッシャー７、スプリングワッシャー８とともに取付けボルト９を取付けねじ穴５に締め付けて本体を締め付けて固定設置する。
【実施例２】
【００２６】  本発明を主にハンガー掛けとして用いる場合は、図２、図４、図６に示すように、ハンガー取付け部１２が上になるようにして、自動車座席の頭当て支柱１５に取付ける。【００２７】  自動車の頭当ては、上に高い位置で使用する場合も含め、図３に示すように、座席に密着させるように下側に位置するようにして、上記取手として用いる場合と同じ要領にて、ねじで締めつけて固定する。
【産業上の利用可能性】
【００２８】  頭当て支柱への取付け部４と頭当て支柱への固定板６を取付けボルト９によって、自動車座席の頭当て支柱１５に、しっかりと固定されるために、本発明の握り部に力を加えても安定して、取手として機能させることが可能である。【００２９】  握り部１０と握り部１１は、それぞれ両手で握った場合に力を入れやすい幅に設定されていて、乗車中は自動車の揺れに対して、身体を安定して保持するのが楽である。
【符合の説明】
【００３０】    １    本体支柱
２    本体支柱
３    握り部取付け部
４    頭当て支柱への取付け部
５    取付けねじ穴
６    頭当て支柱への固定板
７    平ワッシャー
８    スプリングワッシャー
９    取付けボルト
１０  握り部
１１  握り部
１２  ハンガー掛け部
１３  ハンガー掛け部
１４  ハンガー掛け部
１５  自動車座席の頭当て支柱
【図１】
2019182388.tif 000003
【図２】
2019182388.tif 000004
【図３】
2019182388.tif 000005
【図４】
2019182388.tif 000006
【図５】
2019182388.tif 000007
【図６】
2019182388.tif 000008
【図７】
2019182388.tif 000009